(57)【要約】【課題】団扇で、五目並べや囲碁将棋などの盤ゲームができる方法を提供する。【解決手段】ゲーム盤が印刷された団扇と、粘着や吸着するスポンジの駒または石からなる、ゲーム用具とする。印紙した紙を盤面として将棋や囲碁等の盤ゲームを楽しむことができる。また、駒が盤図体に対して着脱自在なので、対戦中にうちわであおいでも盤図体から駒が落下せずに涼を得ることができる。また、プレイヤーは柄を片手で把持した状態で他方の手で駒を操作してゲームを楽しむことが可能となる。【選択図】図２
2012192056.tif 000002
【特許請求の範囲】
【請求項１】
ゲーム盤が印刷された糊付印刷物と、粘着や吸着するスポンジの駒または石からなる、ゲーム用具。
【請求項２】
団扇に貼るゲーム盤が印刷された糊付印刷物と、粘着や吸着するスポンジの駒または石からなる、ゲーム用具。
【請求項３】
ゲーム盤が印刷された団扇と、粘着や吸着するスポンジの駒または石からなる、ゲーム用具。
【請求項４】
請求項１〜３のいずれか一項に記載のゲーム用具を利用する携帯電話機による盤ゲーム遊戯方法。
【発明の詳細な説明】
【技術分野】
【０００１】
本発明は盤ゲームのできるうちわに関する。
【背景技術】
【０００２】
うちわ（団扇）とは、扇いで風を起こす道具の一種であり、扇部とそれを支持する柄を備える。扇部は丸が普通であるが、三角や四角などもある。また素材も各種ある。生活環境の著しい変化により実用面は縮小しているが、涼をとる生活の道具、風情を楽しむおしゃれの小道具、炊事の道具、広告の媒体としての利用は今も盛んである。
盤ゲーム（盤遊戯）としては囲碁・将棋・チエス・裏返し・五目並べなどが知られている。これらは、盤と駒または石を利用して人間同士が遊ぶ遊具である。特に囲碁・将棋など伝統的な盤ゲームは根強い愛好家がいる。なお、本明細書中において「駒」とは、ゲーム中にプレイヤーが盤に置いて使用するもの全般を指し、例えば将棋の駒、チェスの駒、囲碁の碁石等を含むものとする。
最近は、盤を利用しないでパソコンを利用して鑑賞や対局を行うことが多いが、人間と人間が目前で盤ゲームに興じるのは触れ合いになるため好ましい。また、従来の碁盤・将棋盤はサイズや重量の問題により旅先での大会イベント等には使いづらい。また、既に紙やゴム製の盤が存在するが、机等の台に乗せて使用するのが一般的であり、手に持った状態ではゲームできなかった。
【０００３】
近年、アクリルスポンジやその他の貼りはがせるスポンジが開発されている。１〜３ｍｍ厚さのスポンジが多く、転倒防止用などに利用される。貼りはがす対象は紙、プラスチック、ガラス等の滑面材である。
【先行技術文献】
【特許文献】
【０００４】
【特許文献１】特開２００５−２８８７５５号
【特許文献２】特開平１１−１５１１１０号
【発明の概要】
【発明が解決しようとする課題】
【０００５】
団扇は竹やプラスチックの骨部に紙を貼って生産している。紙に貼りはがして使用できる駒を利用して盤ゲームができれば団扇の効果を利用した盤ゲーム遊戯ができる。
すなわち、団扇を盤ゲーム用具とすれば、団扇の携帯性や収納性等の性質を利用してゲームを楽しめる。碁石や駒の代用となるものと組み合わせればよい。
【課題を解決するための手段】
【０００６】
印刷物とアクリルスポンジを碁石や駒としたものを組み合わせればよい。すなわち本発明構成は下記のようになる。
（請求項１）ゲーム盤が印刷された糊付印刷物と、粘着や吸着するスポンジの駒または石からなる、ゲーム用具。
（請求項２）団扇に貼るゲーム盤が印刷された糊付印刷物と、粘着や吸着するスポンジの駒または石からなる、ゲーム用具。
（請求項３）ゲーム盤が印刷された団扇と、粘着や吸着するスポンジの駒または石からなる、ゲーム用具。
（請求項４）上記請求項１〜３のいずれかに記載のゲーム用具を利用する携帯電話機による盤ゲーム遊戯方法。
【発明の効果】
【０００７】
ゲーム用具が団扇の形状になった効果を説明する。
印紙した紙を盤面として将棋や囲碁等の盤ゲームを楽しむことができる。
また、駒が盤図体に対して着脱自在なので、対戦中にうちわであおいでも盤図体から駒が落下せずに涼を得ることができる。
また、プレイヤーは柄を片手で把持した状態で他方の手で駒を操作してゲームを楽しむことが可能となる。
また、従来のように対戦中にゲーム盤を台の上に置いて着座する必要がなくなるため、プレイヤーは任意の場所で、盤面を顔の近くに近づけて視認性を高めた状態でゲームを楽しむことができる。
【０００８】
また、柄を把持することでプレイヤーが一人の場合には歩きながらゲームすることが容易になり、二人の場合にはうちわを容易に対戦者に手渡すことができる。観戦者が居る場合には観戦者にも容易にうちわを手渡しできる。
また、例えば対戦者が電車・バス等で並んで着座している場合や、入院中でベッドの上に居る場合でも対戦者間で手渡しすることが容易になる。なお、もちろんうちわを机等の台に置いて対戦者が着座して使用しても良い。
また、柄を着物の帯や紐に差し込んで固定することができ、こうすることで人体をゲーム盤の一部として利用し、遊戯性を高めることができる。
【０００９】
また、柄を鞄のベルトの隙間に差し込むことで鞄を台にしてその上にうちわを安定的に載置することができる。
【図面の簡単な説明】
【００１０】
【図１】請求項１のゲーム用具を示す図面であり、（ａ）は平面図、（ｂ）は側面図である。
【図２】請求項２及び３のゲーム用具を示す図面である。
【図３】請求項４の盤ゲーム遊戯方法を示す図面である。
【発明を実施するための形態】
【００１１】
以下、本発明を図面により詳述する。
図１は本発明請求項１記載に関するものである。
符号１はゲーム盤が印刷された糊付印刷物である。符号２は粘着や吸着するスポンジの駒または石にするアクリルスポンジのシートである。
２のシートは碁石や駒の図柄を印刷した紙を貼り、使うに適したように碁石や駒を打抜く、又ははさみで使うに適したように切る。白丸黒丸の印判を押して図柄を作ってもよい。又は絵柄シールを貼っても良い。
【００１２】
図１（ｂ）の符号３は粘部、符号４ははくり紙である。シート２は糊付印刷物１に貼っても良く、別でも良い。糊付印刷物１とシート２でセット化し商品化する。図２に示すように、団扇６に糊付印刷物１を貼れば盤図のあるゲーム盤が印刷された団扇７となる。
【００１３】
請求項１記載の発明は団扇ばかりでなく、ノートやファイルに糊付印刷物１を貼ってシート２と組み合わせて盤ゲームのできるノートやファイルになる。衣服や玩具等に糊付印刷物１を貼っても良い。
【００１４】
図２は本発明請求項２記載に関する。
一般に市販又は配布されている団扇６に、団扇に貼るゲーム盤が印刷された糊付印刷物１を貼り、ゲーム盤がある団扇７と粘着や吸着するスポンジの駒または石があるシート２を示す。
【００１５】
本発明請求項３記載に関する図は図２で代用できる。
すなわち、プラスチックや竹の骨の団扇部材に印刷物に糊で貼って団扇７を形成するが、あらかじめ団扇用印刷物にゲーム盤図を採用すればよい。
【００１６】
図３は本発明品の利用方法に関する説明を示す。
本発明請求項１〜３に記載されたゲーム用具を利用して携帯電話機（いわゆるケータイ）で遊ぶ。
離れた場所に居るプレイヤー同士が対戦する場合に特別なソフトウェアは必要なく、一般生活において容易に利用可能な携帯電話機を使用するので利便性が向上する。
また、盤図体５を利用して将棋や囲碁などの盤ゲームを行うので、携帯電話機に格納された将棋ゲームや囲碁ゲームと比較して盤面が大きくなり、視認性を向上させることができる。
また、携帯電話機が通常有するカメラ機能を利用して、自己の盤図体５上の駒の配置状態をカメラで撮り相手方に送信することで相手方に駒の位置を正確に伝達できる。
また、柄を片手で把持しながら他方の手で携帯電話機を操作できるので利便性を向上できる。なお、携帯電話機は必ずしも常に手で把持している必要はなく、通信しない間は適宜机の上等に置いておけばよい。
プレイヤー同士が友人・知人関係にある場合には、対戦を希望する一方の者が他方の者に電話等で連絡をとってゲームを開始すればよい。また、友人・知人関係にない者同士で対戦を行いたい場合には、対戦を希望する一方の者がプレイヤーリストを所有する管理者に電話等で連絡をとって、管理者から対戦者の紹介を受ければよい。このようにすることで喫茶店、旅先、病室、浴室、車内、国外などどこに居ても携帯電話機を介して対戦形式でゲームを楽しむことが可能となる。
［発明を実施するための最良の形態］
【００１７】
図１に示すように８マスと８マスの盤図に縦横に記号をつける。盤図印刷物１の裏面に糊３、はくり紙４を設ける。これに１〜３ｍｍ厚みのアクリルスポンジシート２と組みあわす。
アクリルスポンジシート２は盤図体５に貼り（はくりも容易）、セット化し、商品化する。
アクリルスポンジは表に碁石や駒の印刷物を貼る。碁石や駒の形をあらかじめ軽く打抜いて押せば外れるようにする、又は図１に示すようにアクリルスポンジシート２にマス目を印刷しカットしやすくする。シールやゴム判で碁石駒作りができる。
【００１８】
アクリルスポンジの周囲を残して印刷したシールを貼れば、両面使える駒を作れる。
【００１９】
白と黒、白と赤のように二色のアクリルスポンジを両面テープで貼り合わせ、カットして駒にする。このようにした駒は、裏返し（リバーシ）のようなルールのゲーム駒として使える。
【００２０】
図１に示す本発明品は、団扇に貼ればゲームのできる団扇になる。団扇ばかりでなくファイルやノート、衣服に貼りゲーム用具にできる。
【００２１】
アクリルスポンジで駒をあらかじめ作り、このものを団扇盤に貼って、商品化してもよい。
【００２２】
ゲーム盤が印刷された糊付印刷物は透明にしても良い。透明フィルムに罫線や記号を印刷する。このものは印刷物の上に貼れば、その印刷物の図柄を利用できる。透明フィルムをガラス窓に貼れば、ガラスを介在して碁石ゲームができる。
［通信でゲームをする発明実施の形態］
【００２３】
（１）電話かメールで打った手の位置を連絡する。
（２）途中や複雑であれば画像を送信し確認する。
（３）勝負を確認する。
【産業上の利用可能性】
【００２４】
本発明は産業上利用できる。団扇やノート、衣類、ガラス窓、壁面等を盤ゲーム利用の対象にできる。
【符号の説明】
【００２５】
１  ゲーム盤が印刷された糊付印刷物
２  アクリルスポンジのシート
３  粘部
４  はくり紙
５  盤図体
６  団扇
７  ゲーム盤が印刷された団扇
【図１】
2012192056.tif 000003
【図２】
2012192056.tif 000004
【図３】
2012192056.tif 000005